(57)【要約】【課題】建具を構成する框と框内に納められた障子との隙間からの延焼を抑制することができる建具を提供する。【解決手段】建具は、枠内にドアが上下方向を軸線方向として回動可能に設けられた建具であって、ドアは、四方枠状に形成された框と、框内に、互いに上下移動可能に納められた上障子及び下障子４Ｙと、框３２の戸先側の下端に設けられ、下障子４Ｙを支持可能な戸先側支持部材１２２と、框３２の吊元側の下端に設けられ、下障子４Ｙを支持可能な吊元側支持部材１２１と、を備え、戸先側支持部材１２２は、吊元側支持部材１２１よりも高さが高いことを特徴とする。【選択図】図１０
2018028215.tif 000002
【特許請求の範囲】
【請求項１】
枠内にドアが上下方向を軸線方向として回動可能に設けられた建具であって、
前記ドアは、
四方枠状に形成された框と、
該框内に、互いに上下移動可能に納められた上障子及び下障子と、
前記框の戸先側の下端に設けられ、前記下障子を支持可能な戸先側支持部材と、を備えることを特徴とする建具。
【請求項２】
前記框の吊元側の下端に設けられ、前記下障子を支持可能な吊元側支持部材を備え、
前記戸先側支持部材は、前記吊元側支持部材よりも高さが高い請求項１に記載の建具。
【請求項３】
前記戸先側支持部材は、
前記吊元側支持部材と同一高さの支持部と、
高さ調整可能なスペーサと、を有する請求項２に記載の建具。
【発明の詳細な説明】
【技術分野】
【０００１】
本発明は、構造物の開口部に設けられる建具に関するものである。
【背景技術】
【０００２】
従来から、建築物の開口部に枠が固定され、枠内にドアが上下方向の軸線を中心に回動自在に設けられるとともに、ドアが框と框内に上下移動可能に納められた上障子及び下障子とを備えた建具が知られている。
【先行技術文献】
【特許文献】
【０００３】
【特許文献１】特開２０１３−１１８６９９号公報
【発明の概要】
【発明が解決しようとする課題】
【０００４】
上記の特許文献１に記載された建具では、火災時にドアが自重等により下框の戸先側が下がり、戸先側の縦框が下方に移動するように、框が変形することがある。この際、框内に納められた上障子及び下障子も同様に戸先側が下方に下がるように傾斜する。これにより、上障子及び下障子では、それぞれ上端では框の吊元側との間に隙間が生じるとともに、下端では框の戸先側との間に隙間が生じてしまうという問題点がある。
さらに、上障子及び下障子が戸先側を下方に下げるように傾斜することにより、特に下障子の戸先側に応力が集中してガラス割れを引き起こす虞がある。
【０００５】
そこで、本発明は、上記事情に鑑みてなされたものであり、建具を構成する框と框内に納められた障子との隙間からの延焼を抑制することができる建具を提供する。
【課題を解決するための手段】
【０００６】
上記目的を達成するために、本発明は以下の手段を採用している。
すなわち、本発明に係る建具は、枠内にドアが上下方向を軸線方向として回動可能に設けられた建具であって、前記ドアは、四方枠状に形成された框と、該框内に、互いに上下移動可能に納められた上障子及び下障子と、前記框の戸先側の下端に設けられ、前記下障子を支持可能な戸先側支持部材と、を備えることを特徴とする。
【０００７】
このように構成された建具では、框の戸先側の下端には、上下移動可能な下障子を支持可能な戸先側支持部材が設けられている。火災時に、ドアが自重等により框の下端部の戸先側が下方に移動するように框が変形するにともない、框内に納められた下障子も同様に戸先側が下方に下がるように傾斜しても、下障子の戸先側は框の戸先側に設けられた戸先側支持部材により支持される。これにより、下障子は水平状態を維持し、下障子の戸先側と框の下端部との間や、上障子の吊元側と框の上端部との間に生じる隙間が抑制され、框と障子との隙間からの延焼を抑制することができる。
【０００８】
また、本発明に係る建具は、前記框の吊元側の下端に設けられ、前記下障子を支持可能な吊元側支持部材を備え、前記戸先側支持部材は、前記吊元側支持部材よりも高さが高いことが好ましい。
【０００９】
このように構成された建具では、火災時に、下障子の戸先側は框の戸先側に設けられた戸先側支持部材により支持されるとともに、下障子の吊元側は框の吊元側に設けられた吊元側支持部材により支持される。戸先側支持部材は吊元側支持部材よりも高さが高いため、下障子は水平状態を維持しつつ、幅方向にわたって支持されるため、框と障子との隙間からの延焼を確実に抑制することができる。
【００１０】
また、本発明に係る建具は、前記戸先側支持部材は、前記吊元側支持部材と同一高さの支持部と、高さ調整可能なスペーサと、を有していてもよい。
【００１１】
このように構成された建具では、戸先側支持部材の高さを吊元側支持部材よりも高くするために、支持部を共通としながら戸先側支持部材ではスペーサを設ければよいため、部品点数を抑えることができる。
【発明の効果】
【００１２】
本発明に係る建具によれば、建具を構成する框と框内に納められた障子との隙間からの延焼を抑制することができる。
【図面の簡単な説明】
【００１３】
【図１】本発明の第一実施形態に係る建具を屋内側から見た正面図である。
【図２】図１をＸ−Ｘで切断した縦断面図である。
【図３】図１をＹ−Ｙで切断した水平断面図である。
【図４】図２のＡ部拡大図である。
【図５】図２のＢ部拡大図である。
【図６】図２のＣ部拡大図であり、戸先側を示している。
【図７】図３のＤ部拡大図である。
【図８】図３のＥ部拡大図である。
【図９】図２のＣ部拡大図であり、吊元側を示している。
【図１０】図１をＹ−Ｙで切断した水平断面図であり、戸先側支持部材及び吊元側支持部材の配置を示している。
【発明を実施するための形態】
【００１４】
以下、本発明の第一実施形態による建築物の開口部に設けられる建具の一例として、上げ下げ障子を有する開きドアを図１から図１０に基づいて説明する。
図１は、本発明の第一実施形態に係るドアを屋内側から見た斜視図である。図２は、図１をＸ−Ｘで切断した縦断面図である。図３は、図１をＹ−Ｙで切断した水平断面図である。
図１から図３に示すように、開きドア（建具）１００は、開口部Ｗに設けられ、四角形状に形成された枠体（枠）１と、枠体１内に上下方向を軸線方向として回動可能に納められたドア本体（ドア）２と、を備えている。
【００１５】
枠体１は、水平方向に延在する上枠１１及び下枠１２と、上枠１１の両端部と下枠１２の両端部とをそれぞれ連結し上下方向に延在する縦枠１３と、を有している。
【００１６】
上枠１１は、屋外側に設けられ金属製の金属上枠１１Ａと、屋内側に設けられ樹脂製の樹脂上枠１１Ｂと、を有している。金属上枠１１Ａと樹脂上枠１１Ｂとは連結されている。
【００１７】
下枠１２は、屋外側に設けられ金属製の金属下枠１２Ａと、屋内側に設けられ樹脂製の樹脂下枠１２Ｂと、を有している。金属下枠１２Ａと樹脂下枠１２Ｂとは連結されている。
【００１８】
図２及び図６に示すように、金属下枠１２Ａは、金属製の第一金属部１４と、第一金属部１４よりも屋内側に配置され金属製の第二金属部１５と、第一金属部１４と第二金属部１５とを連結する樹脂製のブリッジ材１６と、を有している。ブリッジ材１６は、第一金属部１４及び第二金属部１５よりも断熱性が高い。
【００１９】
図３に示すように、縦枠１３は、屋外側に設けられ金属製の金属縦枠１３Ａと、屋内側に設けられ樹脂製の樹脂縦枠１３Ｂと、を有している。金属縦枠１３Ａと樹脂縦枠１３Ｂとは連結されている。
【００２０】
ドア本体２は、枠体１内に納められた四方枠状に形成された框体（框）３と、框体３内に納められた上障子４Ｘ及び下障子４Ｙとを、備えている。上障子４Ｘと外障子とは、上下移動可能に框体３内に納められている。
【００２１】
図１から図３に示すように、框体３は、水平方向に延在する上框３１及び下框３２と、上框３１の両端部と下框３２の両端部とをそれぞれ連結し上下方向に延在する縦框３３と、を有している。
【００２２】
上框３１は、屋外側に設けられ金属製の金属上框３１Ａと、屋内側に設けられ樹脂製の樹脂上框３１Ｂと、を有している。金属上框３１Ａと樹脂上框３１Ｂとは連結されている。
【００２３】
下框３２は、屋外側に設けられ金属製の金属下框３２Ａと、屋内側に設けられ樹脂製の樹脂下框３２Ｂと、を有している。金属下框３２Ａと樹脂下框３２Ｂとは連結されている。
【００２４】
縦框３３は、屋外側に設けられ金属製の金属縦框３３Ａと、屋内側に設けられ樹脂製の樹脂縦框３３Ｂと、を有している。金属縦框３３Ａと樹脂縦框３３Ｂとは連結されている。
【００２５】
上障子４Ｘは、四方枠状に形成された桟体４０と、桟体４０内に納められた複層ガラス４９と、を有している。桟体４０は、上桟４１と、下桟４２と、上桟４１の両端部と下桟４２の両端部とをそれぞれ連結し上下方向に延在する縦桟４３と、を有している。
【００２６】
上桟４１は、屋外側に設けられ金属製の金属上桟４１Ａと、屋内側に設けられ樹脂製の樹脂上桟４１Ｂと、を有している。金属上桟４１Ａと樹脂上桟４１Ｂとは連結されている。
【００２７】
同様に、下桟４２は、屋外側に設けられ金属製の金属下桟４２Ａと、屋内側に設けられ樹脂製の樹脂下桟４２Ｂと、を有している。金属下桟４２Ａと樹脂下桟４２Ｂとは連結されている。
【００２８】
同様に、縦桟４３は、屋外側に設けられ金属製の金属縦桟４３Ａと、屋内側に設けられ樹脂製の樹脂縦桟４３Ｂと、を有している。金属縦桟４３Ａと樹脂縦桟４３Ｂとは連結されている。
【００２９】
さらに、下障子４Ｙにおいても、上桟４１、下桟４２、左右の縦桟４３は、外障子と同一の構成を備えており、同一の符号を用いて説明を省略する。
【００３０】
上桟４１、下桟４２及び縦桟４３では、断面略コの字状のガラス保持溝４６が形成されている。複層ガラス４９の四辺の端部は断面略Ｕ字状のグレージングチャンネル４７で介して、ガラス保持溝４６に収容されている。
【００３１】
次に、枠体１、框体３及び桟体４０に設けられた加熱発泡材について説明する。
まず、上障子４Ｘの上側に設けられた加熱発泡材について説明する。
図４は、図２のＡ部拡大図である。
図４に示すように、樹脂上枠１１Ｂの屋外側に配置された屋外側壁部１１Ｃには、屋外側の面に、加熱発泡材５１が配置されている。金属上框３１Ａの上部に配置された上壁部３１Ｃには、上面に、加熱発泡材５２が配置されている。金属上框３１Ａの屋外側に配置された屋外側壁部３１Ｄには、屋内側の面に、加熱発泡材５３が配置されている。金属上桟４１Ａの上部に配置された上壁部４１Ｃには、下面に、加熱発泡材５４が配置されている。金属上桟４１Ａにおいてガラス保持溝４６を形成する保持壁部４１Ｄには、下面に、加熱発泡材５５が配置されている。
【００３２】
次に、上障子４Ｘの下側に設けられた加熱発泡材について説明する。
図５は、図２のＢ部拡大図である。
図５に示すように、上障子４Ｘの金属下桟４２Ａにおいてガラス保持溝４６を形成する保持壁部４２Ｃには、上面に、加熱発泡材６１が配置されている。金属下桟４２Ａの下部に配置された底壁部４２Ｈには、上面及び下面に、それぞれ加熱発泡材６２，６３が配置されている。金属下桟４２Ａの屋外側に配置された屋外側壁部４２Ｄには、屋内側の面に、加熱発泡材６４が配置されている。樹脂下桟４２Ｂの下部に配置された底壁部４２Ｅには、下面に、加熱発泡材６５が配置されている。
【００３３】
次に、下障子４Ｙの上側に設けられた加熱発泡材について説明する。
下障子４Ｙの金属上桟４１Ａにおいてガラス保持溝４６を形成する保持壁部４１Ｅには、下面に、加熱発泡材６６が配置されている。金属上桟４１Ａの上部に配置された上壁部４１Ｆには、上面及び下面に、それぞれ加熱発泡材６７，６８が配置されている。
【００３４】
次に、下障子４Ｙの下側に設けられた加熱発泡材について説明する。
図６は、図２のＣ部拡大図であり、戸先側を示している。
図６に示すように、下障子４Ｙの金属下桟４２Ａにおいてガラス保持溝４６を形成する保持壁部４２Ｆには、上面に、加熱発泡材７１が配置されている。金属下桟４２Ａの下部に配置された底壁部４２Ｇには、上面に、加熱発泡材７２が配置されている。金属下框３２Ａの屋外側に配置された屋外側壁部３２Ｃには、屋外側の面及び屋内側の面に、それぞれ加熱発泡材７３，７４が配置されている。金属下框３２Ａの中空状のホロー部３２Ｄ内には、加熱発泡材７５が配置されている。金属下框３２Ａにおいて、ガラス保持溝４６の下方に配置された支持壁部３２Ｊの上面には、加熱発泡材７６が配置されている。
【００３５】
さらに、金属下框３２Ａの下部に配置された底壁部３２Ｅには、下方に向かって突出する一対の下向き片３２Ｆが設けられている。各下向き片３２Ｆの下端部には、対向する下向き片に向かって折曲された折曲片３２Ｇが設けられている。
【００３６】
底壁部３２Ｅ、下向き片３２Ｆ及び折曲片３２Ｇで形成された空間内には、高温加熱発泡材１０１及び低温加熱発泡材１０２が重なって配置されている。
【００３７】
高温加熱発泡材１０１は、底壁部３２Ｅに沿って配置されている。低温加熱発泡材１０２は、高温加熱発泡材１０１の下側に、高温加熱発泡材１０１に沿って配置されている。
【００３８】
高温加熱発泡材１０１は、金属下框３２Ａの下部に沿って、金属下框３２Ａの幅方向の略全長にわたって配置されている。低温加熱発泡材１０２は、金属下框３２Ａの下部及び金属縦框３３Ａ（図３参照）の下部に沿って、框体３の幅方向の略全長にわたって配置されている。
【００３９】
低温加熱発泡材１０２の発泡温度は、高温加熱発泡材１０１の発泡温度よりも低い。例えば、低温加熱発泡材１０２としてエポキシ樹脂で構成されたものが採用され、火災時には、低温加熱発泡材１０２は約１５０℃から発泡を開始して、約３５０℃で発泡が完了する。また、高温加熱発泡材１０１としてポリ塩化ビニル樹脂で構成されたものが採用され、高温加熱発泡材１０１は約５００℃から発泡を開始して、約８００℃で発泡が完了する。つまり、高温加熱発泡材１０１の発泡開始温度は、低温加熱発泡材１０２の発泡開始温度よりも高い。高温加熱発泡材１０１の発泡完了温度は、低温加熱発泡材１０２の発泡完了温度よりも高いことが好ましい。
【００４０】
火災時には、火災温度が所定の温度まで達すると、低温加熱発泡材１０２が膨張発泡して下框３２と下枠１２との間の隙間を埋める。さらに、火災温度が上昇して所定の温度まで達すると、高温加熱発泡材１０１が膨張発泡する。このため、低温加熱発泡材１０２の膨張発泡が完了して隙間を埋めた後に、火災温度が上昇して、下框３２や下枠１２が変形してさらに隙間が生じた場合でも、高温加熱発泡材１０１が発泡して、当該隙間を埋める。
【００４１】
金属下框３２Ａの底壁部３２Ｅの下方に設けられた壁部３２Ｈには、壁部の下面に、加熱発泡材７６が配置されている。
【００４２】
次に、上障子４Ｘ及び下障子４Ｙの戸先側に設けられた加熱発泡材について説明する。
図７は、図３のＤ部拡大図である。
図７に示すように、樹脂縦枠１３Ｂにおいて框３３と対向する壁部１３Ｃには、対向する面に、加熱発泡材８１が配置されている。金属縦枠１３Ａにおいて縦框３３と対向する壁部１３Ｄには、対向する面に、加熱発泡材８２が配置されている。金属縦框３３Ａの屋外側に配置された屋外側壁部３３Ｃには、屋内側の面に、加熱発泡材８３が配置されている。金属縦框３３Ａの中空状のホロー部３３Ｄ内には、複数の加熱発泡材８４が配置されている。金属縦框３３Ａの屋内側に配置された屋内側壁部３３Ｅには、屋内側の面に、加熱発泡材８５が配置されている。金属縦框３３Ａにおいて縦桟４３と対向する壁部３３Ｆには、対向する面に、加熱発泡材８６が配置されている。
【００４３】
金属縦框３３Ａの壁部３３Ｆの屋外側には、縦桟４３側に向かって延びる延出壁部３３Ｇが設けられている。延出壁部３３Ｇには、屋内側の面に、加熱発泡材８７が配置されている。
【００４４】
金属縦框３３Ａの壁部３３Ｆの屋内側には、縦桟４３側に向かって延びる延出壁部３３Ｈが設けられている。延出壁部３３Ｈの先端部には、屋内側に向かって折曲された折曲壁部３３Ｊが設けられている。延出壁部３３Ｈには、屋内側の面に、加熱発泡材８８が配置されている。折曲壁部３３Ｊには、縦桟４３に対向する面に、加熱発泡材８９が配置されている。金属縦桟４３Ａにおいてガラス保持溝４６を形成する保持壁部４３Ｃには、複層ガラス４９と対向する面に、加熱発泡材９０が配置されている。
【００４５】
次に、上障子４Ｘ及び下障子４Ｙの吊元側に設けられた加熱発泡材について説明する。
図８は、図３のＥ部拡大図である。
図８に示すように、金属縦枠１３Ａにおいて縦框３３と対向する壁部１３Ｅには、対向する面に、加熱発泡材９１が配置されている。金属縦框３３Ａの中空状のホロー部３３Ｋ内には、屋内側の面に、加熱発泡材９２が配置されている。金属縦框３３Ａの屋内側に配置された屋内側壁部３３Ｌには、屋内側の面に、加熱発泡材９３が配置されている。金属縦框３３Ａにおいて縦桟４３と対向する壁部３３Ｍには、対向する面に、加熱発泡材９４が配置されている。
【００４６】
金属縦框３３Ａの壁部３３Ｍの屋外側には、縦桟４３側に向かって延びる延出壁部３３Ｎが設けられている。延出壁部３３Ｎには、屋内側の面に、加熱発泡材９５が配置されている。
【００４７】
金属縦框３３Ａの壁部３３Ｍの屋内側には、縦桟４３側に向かって延びる延出壁部３３Ｐが設けられている。延出壁部３３Ｐの先端部には、屋内側に向かって折曲された折曲壁部３３Ｑが設けられている。延出壁部３３Ｐには、屋内側の面に、加熱発泡材９６が配置されている。折曲壁部３３Ｑには、縦桟４３に対向する面に、加熱発泡材９７が配置されている。金属縦桟４３Ａにおいてガラス保持溝４６を形成する保持壁部４３Ｄには、複層ガラス４９と対向する面に、加熱発泡材９８が配置されている。
【００４８】
次に、火災時に、下障子４Ｙが下がってきた場合に、下障子４Ｙを支持可能な吊元側支持部材１２１及び戸先側支持部材１２２について説明する。
【００４９】
図９は、図２のＣ部拡大図であり、吊元側を示している。
図９に示すように、吊元側では、金属框の上面に、吊元側支持部材１２１として支持金具（支持部）１１１が金属下框３２Ａに螺子１１９で固定されている。
【００５０】
支持金具１１１は、金属下框３２Ａの支持壁部３２Ｊに沿って配置される下壁部１１２と、下壁部１１２の屋内側の端部から上向きに延びる折曲壁部１１３と、折曲壁部１１３の上端部から屋外側に延びる上壁部１１４と、を有している。
【００５１】
図６に示すように、戸先側では、金属下框３２Ａの支持壁部３２Ｊに、スペーサ１１６が設けられている。スペーサ１１６の上面には、支持金具１１１がスペーサ１１６とともに金属下框３２Ａに螺子１１９で固定されている。スペーサ１１６と支持金具１１１とが、戸先側支持部材１２２を構成している。戸先側では、スペーサ１１６の高さ分、支持金具１１１が上方に配置されている。
【００５２】
図１０は、図１をＹ−Ｙで切断した水平断面図であり、吊元側支持部材１２１及び戸先側支持部材１２２の配置を示している。
図１０に示すように、吊元側支持部材１２１としての支持金具１１１は金属下框３２Ａの支持壁部３２Ｊの吊元側に配置され、戸先側支持部材１２２としての支持金具１１１及びスペーサ１１６は金属下框３２Ａの支持壁部３２Ｊの戸先側に配置されている。
【００５３】
このように構成された開きドア１００では、下框３２の戸先側及び吊元側には、上下移動可能な下障子４Ｙを支持可能な戸先側支持部材１２２及び吊元側支持部材１２１が設けられている。火災時に、ドア本体２が自重等により下框３２の戸先側及び戸先側の縦框３３が下方に移動するように変形するにともない、框体３内に納められた下障子４Ｙも同様に戸先側が下方に下がるように傾斜しても、下障子４Ｙの戸先側は戸先側支持部材１２２に支持されるとともに吊元側は吊元側支持部材１２１に支持される。戸先側支持部材１２２は吊元側支持部材１２１よりも高さが高いため、下障子４Ｙは水平状態を維持しつつ、幅方向にわたって支持される。よって、下障子４Ｙの戸先側と下框３２の下端部との間や、上障子４Ｘの吊元側と上框３１との間に生じる隙間が抑制され、下框３２と上障子４Ｘ、下障子４Ｙとの隙間からの延焼を抑制することができる。
【００５４】
また、戸先側支持部材１２２の高さを吊元側支持部材よりも高くするために、支持金具１１１を共通としながら戸先側支持部材１２２ではスペーサ１１６を設ければよいため、部品点数を抑えることができる。
【００５５】
なお、上述した実施の形態において示した各構成部材の諸形状や組み合わせ等は一例であって、本発明の主旨から逸脱しない範囲において設計要求等に基づき種々変更可能である。
【００５６】
例えば、上記に示す実施形態では、吊元側支持部材１２１及び戸先側支持部材１２２が設けられているが、下障子４Ｙを支持可能な戸先側支持部材１２２のみ設けられていればよい。
【符号の説明】
【００５７】
１…枠体（枠）
２…ドア本体（ドア）
３…框体（框）
４Ｘ…上障子
４Ｙ…下障子
１１…上枠
１１Ａ…金属上枠
１１Ｂ…樹脂上枠
１２…下枠
１２Ａ…金属下枠
１２Ｂ…樹脂下枠
１３…縦枠
１３Ａ…金属縦枠
１３Ｂ…樹脂縦枠
１４…第一金属部
１５…第二金属部
１６…ブリッジ材
３１…上框
３１Ａ…金属上框
３１Ｂ…樹脂上框
３２…下框
３２Ａ…金属下框
３２Ｂ…樹脂下框
３３…縦框
３３Ａ…金属縦框
３３Ｂ…樹脂縦框
４０…桟体
４１…上桟
４１Ａ…金属上桟
４１Ｂ…樹脂上桟
４２…下桟
４２Ａ…金属下桟
４２Ｂ…樹脂下桟
４３…縦桟
４３Ａ…金属縦桟
４３Ｂ…樹脂縦桟
４６…ガラス保持溝
４７…グレージングチャンネル
４９…複層ガラス
１００…開きドア（建具）
１０１…高温加熱発泡材
１０２…低温加熱発泡材
１１１…支持金具（支持部）
１１６…スペーサ
１２１…吊元側支持部材
１２２…戸先側支持部材
【図１】
2018028215.tif 000003
【図２】
2018028215.tif 000004
【図３】
2018028215.tif 000005
【図４】
2018028215.tif 000006
【図５】
2018028215.tif 000007
【図６】
2018028215.tif 000008
【図７】
2018028215.tif 000009
【図８】
2018028215.tif 000010
【図９】
2018028215.tif 000011
【図１０】
2018028215.tif 000012